(57)【要約】      （修正有）【課題】既存のサイロに対して容易に設置でき、サイロ投入口を被蓋する蓋部を開閉可能とする、既存のサイロに着脱可能なサイロ用投入口の蓋構造を提供する。【解決手段】既存のサイロに着脱可能なサイロ用投入口の蓋構造１は、既存のサイロのサイロ本体５１の上部に形成したサイロ投入口５３ａの周囲でサイロ本体５１の上面５２ａに載置可能な基部１０と、基部１０に、サイロ投入口５３ａに連通可能な第一投入口１２を備え、かつ、サイロ投入口５３ａの周囲を囲むように形成した筒状の投入用筒体１１と、投入用筒体１１の第一投入口１２を開閉可能に被蓋する投入口蓋部３０と、投入口蓋部３０を第一投入口１２に対して開閉自在に駆動する駆動部と、を備えている。【選択図】図１
0003233815.tif 000002
【実用新案登録請求の範囲】
【請求項１】
既存のサイロのサイロ本体の上部に形成したサイロ投入口の周囲で前記サイロ本体の上面に載置可能な基部と、
前記基部に、前記サイロ投入口に連通可能な第一投入口を備え、かつ、前記サイロ投入口の周囲を囲むように形成した筒状の投入用筒体と、
前記投入用筒体の第一投入口を開閉可能に被蓋する投入口蓋部と、
前記投入口蓋部を前記第一投入口に対して開閉自在に駆動する駆動部と、
を備えていることを特徴とする既存のサイロに着脱可能なサイロ用投入口の蓋構造。
【請求項２】
前記基部は、サイロ本体に固定具を介して固定する構成であることを特徴とする請求項１に記載の既存のサイロに着脱可能なサイロ用投入口の蓋構造。
【請求項３】
前記投入口蓋部は、前記投入用筒体の第一投入口を閉じる位置で、投入用筒体の外側の全周を覆うフランジ部を形成していることを特徴とする請求項１又は２に記載の既存のサイロに着脱可能なサイロ用投入口の蓋構造。
【請求項４】
前記駆動部は、前記投入口蓋部を回動駆動するように形成し、前記投入口蓋部と前記第一投入口との間に外部と通気可能な間隔を形成するべく前記投入口蓋部の回動動作を停止する蓋部回動停止装置を設けたことを特徴とする請求項１，２又は３に記載の既存のサイロに着脱可能なサイロ用投入口の蓋構造。
【請求項５】
前記蓋部回動停止装置は、前記第一投入口に通気可能な間隔を開けて前記投入口蓋部の回動を停止するストッパ装置であることを特徴とする請求項４に記載の既存のサイロに着脱可能なサイロ用投入口の蓋構造。
【請求項６】
前記蓋部回動停止装置は、前記第一投入口に通気可能な間隔を開けて前記投入口蓋部の回動を停止する検知装置であることを特徴とする請求項４に記載の既存のサイロに着脱可能なサイロ用投入口の蓋構造。
【請求項７】
前記投入口蓋部は、サイロ本体の内部と通気可能な中空のパイプを外部へ突出して備え、前記パイプは先端側の通気口を少なくとも横方向より下方に向くように湾曲形成したことを特徴とする請求項１，２又は３に記載の既存のサイロに着脱可能なサイロ用投入口の蓋構造。
【考案の詳細な説明】
【技術分野】
【０００１】
本考案は、既存のサイロの飼料等の投入部を開閉可能とし、且つ、サイロの投入部に対して、着脱自在に取付可能なサイロ用投入口の蓋構造を提供する技術に関する。
【背景技術】
【０００２】
サイロは、農産物や酪農用の飼料や工業原料などの各種の物資を保管する貯蔵タンクである。農業用では、米、麦、トウモロコシ、大豆などの農産物、あるいは前記の農産物などの穀物由来の飼料を保管する。工業用としては、粉体や粒体などを一時的に貯蔵するサイロもある。また、寒冷地では、暖房装置の熱源として使用される木質のペレットを貯蔵するサイロもある。
【０００３】
従来、一般的なサイロ５０としては、図６に示すように、内部に前述した物資を収納する中空状のサイロ本体５１と、このサイロ本体５１を屋外の地面に支持するための少なくとも４本の支柱５５,・・・,５５と、を備えている。
サイロ本体５１の外周には、２本の帯状体５６,５６が、上下に間隔を開けてほぼ平行に巻き付けられており、４本の各支柱５５,・・・,５５は、２本の帯状体５６，５６に固定具５６ａ,・・・,５６ａによって固定されている。さらに、４本の支柱５５,・・・,５５は、互いにワイヤ５５ａ,・・・,５５ａによりテンションをかけることで支柱５５,・・・,５５全体の強度向上を図っている。
【０００４】
サイロ本体５１は、例えば円筒形状であり、そのサイロ上部５２の上端には、物資を投入するためのサイロ投入口を有する筒部５３を備えている。下端側は、下方に向けて細くなる円錐形状のサイロ下部５４が形成されており、その下端にはサイロ本体５１内の物資を取り出すための排出口５４ａが設けられている。
【０００５】
また、筒部５３は、上面のサイロ投入口を閉塞する蓋部（図示なし）が開閉可能に取り付けられて、雨水や雪が入らないようになっている。また、従来のサイロ５０は、作業者が筒部５３まで昇るためのはしご５７が、一つの支柱５５に設けられている。
【０００６】
なお、従来、サイロ５０は種々の大きさおよび高さを有しているが、例えば地面からサイロ本体５１の上端までの高さが７〜８ｍ（メートル）のものがある。具体例を示すと、サイロ本体５１の高さが５ｍ（メートル）で、直径が１.８５ｍのものがある。また、サイロ本体５１の高さが５.３ｍで、直径が２.３ｍのものがある。サイロ５０は、サイロ本体５１が支柱５５,・・・,５５によって支持され、サイロ本体５１の下端から地面までの高さは、ほぼ同じで約２ｍである。
【０００７】
蓋部の取付け構造は様々であるが、特許文献1記載の発明では、投入口の筒部に取り付けるサイロ用投入口装置が開発されている。このサイロ用投入口装置は、筒体と、蓋体とを備えて構成されている。
筒体は円筒形状であり、上端には物資を投入可能な第一投入口が形成されている。筒体の下端の開口は、既存の筒部の投入口に連通している。また、前記筒体は、前記筒部の外周に形成したバンドによって筒部の上端に締め付け固定される構成である。
【０００８】
蓋体は、筒体の第一投入口を開閉可能に被蓋する円形の蓋本体を備えており、この蓋本体は、筒体の外周面の上端部に固定したブラケットに上下回動可能に支持されている。さらに、蓋本体の上面には蓋本体の径方向に延びる取っ手を備えている。
したがって、作業者は取っ手を持って、この蓋本体を上下方向に回転させて動かすことで、筒体の第一投入口について、開閉可能に蓋をすることができる。
【０００９】
また、筒体の外周面の上端部には、取っ手の他端部を蓋本体の閉鎖位置でロックするロック装置が設けられている。このロック装置は、筒体の外周面に固定されたブラケットに上下回動可能に支持された係合部材と、この係合部材に螺合されたハンドルとを備えている。この係合部材は取っ手の先端に設けた係合溝に係合する構成である。
したがって、蓋本体で第一投入口を被蓋した閉鎖位置で、係合部材を回動させて、取っ手の先端の係合溝に対して係合させた後に、更にハンドルを締め付け方向に回転させることで、蓋体をロックすることができるようになっている。
【００１０】
また、一般的に、サイロは屋外に設置されるため、サイロ本体の内部に雨水や雪が浸入した場合、浸入した雨水などは貯蔵された物資にカビを発生させる原因となる。カビの発生を防止するためにサイロ本体の気密性を高くしている。しかし、屋外に設置されるサイロは、特に夏の時期に太陽の熱でサイロ本体の内部が高温になるので、貯蔵された物資に熱分解や酸化を生じさせるなどの悪影響を及ぼすことがある。
【００１１】
特許文献２記載の飼料タンクに関する発明では、サイロの支柱を中空管状に形成し、サイロ本体に穿設した給排気口に接続してサイロ本体の内部と支柱の内部とを連通させている。さらに、前記支柱にはサイロ本体の内部の空気を換気するための換気口を設けている。その結果、サイロ本体の内部の換気が良くなり、貯蔵された物資のカビ発生を防止することができるとされている。  
【先行技術文献】
【特許文献】
【００１２】
【特許文献１】特開２０１９−１３１２４５号公報
【特許文献２】特開２００９−１９０７５７号公報
【考案の概要】
【考案が解決しようとする課題】
【００１３】
従来のサイロ５０は、図６においてサイロ本体５１の内部に物資を収納するために、まず、作業者がサイロ本体５１の側面に設けたはしご５７を昇って筒部５３まで行き、筒部５３のサイロ投入口を被蓋している蓋部（図示なし）を取り外す。次いで、物資をサイロ投入口からサイロ本体５１の内部へ投入する。この作業後に、作業者は筒部５３のサイロ投入口に蓋部を被蓋することになる。
【００１４】
さらに、サイロ５０が屋外に設置されているので、筒部５３のサイロ投入口を被蓋する蓋部は、強風を伴う雨や雪などを考慮して、簡単には外れないようにするロック装置を備える必要がある。さらに、雨水や雪が入ったり、強風で飛ばされないにするためには、ある程度の重量を有する構造とする必要がある。例えば、蓋部の重さが１０ｋｇほどである。
【００１５】
したがって、従来のサイロ５０では、筒部５３のサイロ投入口の位置が、例えば７〜８ｍ（メートル）の高さがあるので、物資をサイロ本体５１の内部に投入する毎に、作業者は、はしご５７を用いて昇っていく必要があることから多大な労力が伴ってくる。
さらに、作業者が例えば１０ｋｇほどの蓋部を着脱するには、労力を必要とするだけでなく、狭くて不安定な高所作業を余儀なくされることから、多大な危険を伴う。特に近年の人手不足によりドライバーの高齢化や女性ドライバーが増加しており、より安全に作業のできる構造が望まれている。
【００１６】
また、特許文献1のサイロ用投入口装置では、投入口を有する筒部の外周に、蓋部を開閉可能に設けた筒体をバンドによって締め付け固定しているが、このサイロ用投入口装置を既存のサイロに適用する場合、問題点が生じてくる。
例えば、既存のサイロの筒部の大きさや形状は、各サイロによって異なってくるので、サイロ用投入口装置の筒体は、取付けようとする既存のサイロの筒部の形状や寸法に合わせて形成する必要があり、コスト高を招くとともに、迅速に製作することが難しいという課題があった。
【００１７】
また、蓋体は筒体の第一投入口を容易に被蓋することができ、この閉鎖状態をロック装置で固定し、サイロ本体の気密性を高くすることができる。しかし、サイロ本体の内部が高温になるために生じる物資への悪影響を防ぐには、適度に蓋部を開放する必要がある。そのためには、作業者がはしごを昇っていく必要があるので、たとえ頻繁ではないとしても高所作業の危険性が伴ってくる。
【００１８】
特許文献２記載の飼料タンクでは、複数のパイプの支柱を換気用通路として使用し、効率的に換気できるという点で効果的である。しかし、既存のサイロに対してこの装置を付加するとなると、簡単にはいかない。パイプの支柱を使用している既存のサイロの場合は利用できるかもしれないが、追加工事を必要とするので簡単ではない。パイプの支柱ではない場合は、新たに複数の通気用通路をサイロ本体内に連通するように付加する必要があるので、既存のサイロに付加することは難しいという課題があった。
【００１９】
本考案はこのような事情に鑑みてなされたものであって、既存のサイロに対して、サイロ投入口を被蓋する蓋部を開閉可能に形成することを可能とし、既存のサイロに容易に着脱可能なサイロ用投入口の蓋構造を提供することを目的とする。
また、少子高齢化に伴う高齢ドライバーや女性ドライバーの増加した状況下でも、安全に作業を行うことを可能とするサイロ用投入口の蓋構造を提供することを目的としている。
【課題を解決するための手段】
【００２０】
請求項１記載の考案は、既存のサイロのサイロ本体の上部に形成したサイロ投入口の周囲で前記サイロ本体の上面に載置可能な基部と、前記基部に、前記サイロ投入口に連通可能な第一投入口を備え、かつ、前記サイロ投入口の周囲を囲むように形成した筒状の投入用筒体と、  前記投入用筒体の第一投入口を開閉可能に被蓋する投入口蓋部と、前記投入口蓋部を前記第一投入口に対して開閉自在に駆動する駆動部と、を備えていることを特徴としている。
【００２１】
請求項２記載の考案は、前記基部は、サイロ本体に固定具を介して固定する構成であることを特徴としている。
【００２２】
請求項３記載の考案は、前記投入口蓋部は、前記投入用筒体の第一投入口を閉じる位置で、投入用筒体の外側の全周を覆うフランジ部を形成していることを特徴としている。
【００２３】
請求項４記載の考案は、前記駆動部は、前記投入口蓋部を回動駆動するように形成し、前記投入口蓋部と前記第一投入口との間に外部と通気可能な間隔を形成するべく前記投入口蓋部の回動動作を停止する蓋部回動停止装置を設けたことを特徴としている。
【００２４】
請求項５記載の考案は、前記蓋部回動停止装置は、前記第一投入口に通気可能な間隔を開けて前記投入口蓋部の回動を停止するストッパ装置であることを特徴としている。
【００２５】
請求項６記載の考案は、前記蓋部回動停止装置は、前記第一投入口に通気可能な間隔を開けて前記投入口蓋部の回動を停止する検知装置であることを特徴としている。
【００２６】
請求項７記載の考案は、前記投入口蓋部は、サイロ本体の内部と通気可能な中空のパイプを外部へ突出して備え、前記パイプは先端側の通気口を少なくとも横方向より下方に向くように湾曲形成したことを特徴としている。
【考案の効果】
【００２７】
本考案の請求項１によれば、基部は、既存のサイロのサイロ本体の上面に載置可能としたので、種々の既存のサイロに幅広く柔軟に対応可能とすることができる。
さらに、前記基部に形成した投入用筒体は前記サイロ投入口の周囲を囲むので、投入用筒体の上面開口の第一投入口が投入口蓋部で被蓋されると、結果的に既存のサイロのサイロ投入口を閉鎖することになる。したがって、作業者は、地上から遠隔操作で駆動部によって投入口蓋部を回動駆動し、投入口蓋部で第一投入口を開閉自在とすることができる。その結果、作業者は、はしごなどを用いてサイロの頂上のサイロ投入口まで昇る必要がなくなり、その結果、危険な高所作業を回避することができ、例えば高齢のドライバーや女性ドライバーでも容易に作業を行うことが可能となる。
また、投入口蓋部は駆動部によって回動動作を任意位置で停止することができる。したがって、投入口蓋部は第一投入口を閉鎖することも、第一投入口との間を任意の間隔で開けることもできる。第一投入口を閉鎖すれば雨水の浸入を防止でき、第一投入口との間を開ければ、サイロ本体の内部を換気することができる。
【００２８】
請求項２によれば、基部は、例えばワイヤなどの固定具を用いて、サイロ本体を支持する支柱に固定することで、既存のサイロに幅広く柔軟に対応可能とすることができる。
【００２９】
請求項３によれば、投入口蓋部にフランジ部を形成したので、投入口蓋部と第一投入口との間に間隔を開けても雨水の浸入を防止できる。しかも、投入口蓋部と第一投入口との間の間隔によって、サイロ本体の内部を換気することができる。
【００３０】
請求項４によれば、蓋部回動停止装置によって、投入口蓋部と第一投入口との間の間隔を形成して外部と通気可能となるので、サイロ本体の内部を換気することができる。
【００３１】
請求項５，６によれば、投入口蓋部を回動する回転軸にストッパ部材と、このストッパ部材に突き当て可能な突き当て部材とからなるストッパ装置を設けることで、回転軸の回動を停止することができる。あるいは、前記回転軸に検知用のカムを設け、このカムを検知する検知装置で駆動部の駆動を停止することができる。したがって、天気の状況に合わせて第一投入口を大きく開放したり、閉鎖したり、あるいは第一投入口と投入口蓋部との間隔を少し開けたりすることができる。
【００３２】
請求項７によれば、投入口蓋部は、サイロ本体の内部と通気可能な中空のパイプを備えることで、常時、サイロ本体の内部を換気することができる。さらに、パイプの先端側の通気口を少なくとも横方向より下方に向くように湾曲形成することで、通気を確保しつつ雨水や雪の浸入を防ぐことができる。
【図面の簡単な説明】
【００３３】
【図１】本考案に係るサイロ用投入口の蓋構造を既存のサイロに装着した状態を示す斜視図である。
【図２】図1を分解した斜視図である。
【図３】図1のサイロ投入口のほぼ中心を通過する要部縦断面図である。
【図４】図４（ａ）及び図４（ｂ）は、図３の断面図を用いてサイロ用投入口の蓋構造の動作を示す要部縦断面図である。
【図５】通気可能な中空のパイプを備えた投入口蓋部とその動作を示す要部縦断面図である。
【図６】従来の既存のサイロの一例を示す全体的な斜視図である。
【考案を実施するための形態】
【００３４】
以下、本考案の実施形態に係る既存のサイロに着脱可能なサイロ用投入口の蓋構造について図面を参照して説明する。
【００３５】
既存のサイロ５０としては、従来技術で説明したサイロを例にとって説明する。図1は、本実施形態のサイロ用投入口の蓋構造を既存のサイロに着脱可能に装着した状態である。図２は、サイロ用投入口の蓋構造を既存のサイロに装着する前の状態を示している。
【００３６】
既存のサイロ５０は、図１に示すように、内部に物資を収納する中空状のサイロ本体５１と、このサイロ本体５１を屋外の地面に支持するための４本の支柱５５,・・・,５５と、を備えている。サイロ本体５１の外周には２本の帯状体５６,５６を上下に間隔を開けてほぼ平行に巻き付けており、４本の各支柱５５,・・・,５５は２本の帯状体５６，５６に固定具５６ａ,・・・,５６ａによって固定している。さらに、４本の支柱５５,・・・,５５は、従来技術の図６に示すように互いにワイヤ５５ａ,・・・,５５ａでテンションをかけることによって支柱５５,・・・,５５の全体の強度アップを図っている。
【００３７】
サイロ本体５１は、図１および図２に示すように円筒形状であり、上端側は上方に向けて細くなる円錐形状のサイロ上部５２を形成しており、このサイロ上部５２の上端は物資を投入するためのサイロ投入口５３ａを備えている。より詳しく説明すると、サイロ本体５１のサイロ上部５２には、内部に連通する筒部５３が上方に突出しており、この筒部５３の上端の開口がサイロ投入口５３ａである。サイロ投入口５３ａの直径は約４５ｃｍで、筒部５３の高さは８ｃｍほどである。
また、サイロ本体５１の下端側は、図1および図６に示すように下方に向けて細くなる円錐形状のサイロ下部５４を形成しており、下端は物資を排出するための排出口５４ａを備えている。
【００３８】
サイロ用投入口の蓋構造１は、筒部５３の周囲でサイロ本体５１の上面５２ａに載置可能な基部１０を備えている。図１および図２では、基部１０はサイロ本体５１の上面５２ａの円錐形状に被せるような円錐面の形状としているが、この形状に限定されない。
例えば、基部１０は、サイロ本体５１の上面５２ａに必ずしも面接触にする必要はなく、サイロ本体５１の上面５２ａと隙間が生じてもよく、あるいは部分的な接触面や接触点などの接触部を介して載置する構成でもよい。すなわち、基部１０は、サイロ本体５１の上面５２ａの形状に左右されずに幅広く柔軟に対応する載置可能に形成することが望ましい。
【００３９】
さらに、基部１０は、サイロ本体５１のサイロ投入口５３ａおよび筒部５３の周囲を囲む筒状の投入用筒体１１を形成している。この投入用筒体１１の上面開口は、筒部５３のサイロ投入口５３ａに連通する第一投入口１２を形成している。なお、本実施形態では、投入用筒体１１の第一投入口１２は直径が約５０ｃｍで、高さが約１０ｃｍである。
【００４０】
さらに、サイロ用投入口の蓋構造１は、投入用筒体１１の第一投入口１２を開閉可能に被蓋する投入口蓋部３０を備えている。例えば、投入口蓋部３０は、図１および図２に示すように基部１０に支持部材３１，３１によって固定された２つの軸受部３２，３２に回転可能に支持される回転軸３３に、２つのアーム部３０ｂ，３０ｂで連結固定されており、上下方向に回動可能に構成されている。
なお、投入口蓋部３０が投入用筒体１１の第一投入口１２を開閉する機構は、投入口蓋部３０が回動動作する機構に限定されない。例えば、投入口蓋部３０が横方向、或いは水平方向にスライド移動して第一投入口１２を開閉するなどのように、他の機構であってもよい。
【００４１】
さらに、投入口蓋部３０は、図３に示すように投入用筒体１１の第一投入口１２を閉じる位置で、投入用筒体１１の外側の全周を覆うフランジ部３０ａを形成している。このフランジ部３０ａで形成される筒形の直径は、約５５ｃｍで、高さは８ｃｍである。
【００４２】
さらに、サイロ用投入口の蓋構造１は、投入口蓋部３０を前記第一投入口１２に対して開閉自在に駆動する駆動部４０を備えている。この駆動部４０は、本実施形態では、投入口蓋部３０を回動するための正逆回転を制御可能な電動モータ４１を用いている。この電動モータ４１は、図１および図２に示すように軸受部３２，３２に支持された回転軸３３に減速機（ギヤボックス）４２を介して連結されている。これにより、投入口蓋部３０が投入用筒体１１の第一投入口１２を被蓋したり、開放したりすることができるようになっている。
【００４３】
また、駆動部４０は、電動モータ４１の正逆回転や回転速度などを制御するコントロールボックス４３を備えている。電動モータ４１は、例えば運搬用トラックなどの車両に搭載されているバッテリーを電源として利用することができる。
【００４４】
また、駆動部４０は、投入口蓋部３０の回動動作を停止する蓋部回動停止装置４４を設けている。これにより、投入口蓋部３０と投入用筒体１１の第一投入口１２との間に外部と通気可能な間隔Ｓを形成することができる。
【００４５】
蓋部回動停止装置４４としては、図４（ｂ）に示すように、第一投入口１２に通気可能な間隔Ｓを開けて前記投入口蓋部３０の回動を停止するストッパ装置４５を設けることができる。例えば、ストッパ装置４５は、図1に示すように、投入口蓋部３０の回転軸３３に固定している半月板４６ａであるストッパ部材４６と、この半月板４６ａが突き当たって回動を停止する突き当て部材（図示なし）とから構成される。
半月板４６ａは、投入口蓋部３０の回動に伴って回転し、第一投入口１２に通気可能な間隔Ｓを開けた状態で突き当て部材に突き当たることにより、投入口蓋部３０の回動が停止する。突き当て部材の位置は予め設定することによって、投入口蓋部３０の停止位置を任意に選択できる。
【００４６】
また、蓋部回動停止装置４４としては、第一投入口１２に通気可能な間隔Ｓを開けて投入口蓋部３０の回動を停止する検知装置とすることができる。例えば、投入口蓋部３０の回転軸３３に検知用のカムを設け、このカムの位置を検知する検知装置で駆動部４０の駆動を停止させることができる。
したがって、ストッパ装置４５や検知装置は、天気の状況に合わせて第一投入口１２を大きく開放したり、閉鎖したり、あるいは第一投入口１２と投入口蓋部３０との間隔Ｓを少し開けたりすることができる。
【００４７】
また、サイロ用投入口の蓋構造１は、基部１０は固定具２０を用いてサイロ本体５１に固定する構成である。固定具２０としては、本実施形態では図１に示すようにワイヤ２１,・・・,２１を用いて、サイロ本体５１を支持する支柱５５,・・・,５５に固定している。図1では基部１０の外周付近に４か所のフック部１３,・・・,１３を形成しており、ワイヤ２１,・・・,２１の先端に設けた留め具２２,・・・,２２でフック部１３,・・・,１３に係合することができる。このワイヤ２１,・・・,２１に加えて、例えばターンバックル２３ａ,・・・,２３ａなどの締め付け具２３を併用するなら、基部１０をサイロ本体５１にしっかり固定することができる。
【００４８】
次に、本実施形態の既存のサイロ５０に着脱可能なサイロ用投入口の蓋構造１の作用について説明する。
サイロ用投入口の蓋構造１は、図１および図２に示すように、基部１０を既存のサイロ５０のサイロ本体５１の上面５２ａに被せるように載置する。この時、投入用筒体１１がサイロ本体５１のサイロ投入口５３ａの筒部５３の周囲を囲むように配置する。サイロ投入口５３ａの筒部５３は、図１および図３に示すように投入用筒体１１の中に収められる。本実施形態では、投入用筒体１１の第一投入口１２と、筒部５３のサイロ投入口５３ａとの間隔は、５ｍｍほどである。
したがって、投入口蓋部３０が投入用筒体１１の第一投入口１２を被蓋した状態で、投入口蓋部３０と投入用筒体１１の第一投入口１２との間隔が５ｍｍほどになるので、サイロ投入口５３ａは投入口蓋部３０により、ほぼ閉鎖状態となる。
【００４９】
次に、サイロ本体５１の上面５２ａに載置した基部１０は、図１および図２に示すように固定具２０としての４本のワイヤ２１,・・・,２１を用いてサイロ本体５１に固定される。作業者は、各ワイヤ２１,・・・,２１の先端に設けた留め具２２,・・・,２２を基部１０の外周付近の４ヵ所の各フック部１３,・・・,１３に係合させる。各ワイヤ２１,・・・,２１の他端は、サイロ本体５１の外周に巻き付けた帯状体５６，５６に、固定具５６ａ,・・・,５６ａで固定した各支柱５５,・・・,５５に巻き付けるように連結し、このワイヤ２１,・・・,２１をターンバックル２３ａ,・・・,２３ａの締め付け具２３にてテンションをかけて固定する。
したがって、サイロ用投入口の蓋構造１は、既存のサイロ５０の大きさや形状に多少の違いがあっても幅広く柔軟に対応することができる。しかも、サイロ本体５１や支柱５５,・・・,５５などにネジ孔などを開けることなく固定できる。
【００５０】
また、駆動部４０の電動モータ４１の電源コードは、下方へ延長して地上に設置したコンセントボックスに接続する。
以上で、サイロ用投入口の蓋構造１を既存のサイロ５０のサイロ本体５１に装着する作業は、簡単に終了する。
【００５１】
次に、サイロ用投入口の蓋構造１を装着したサイロ５０における実際の使用状況について説明する。
サイロ５０に収納する物資は、本実施形態では乳牛用の飼料とする。この乳牛用の飼料は例えば運搬用トラックなどの車両にて運搬する。作業者は、運搬用トラックに搭載しているバッテリーの２４Ｖ（ボルト）の電源を利用するために、バッテリーに接続した電源コードを延長して前記コンセントボックスに接続する。
作業者は、従来のように７〜８ｍの高さのサイロ本体５１の上面５２ａへ、はしご５７で登る必要がなくなる。地上でスイッチボックスの各種スイッチを操作し、遠隔操作で電動モータ４１の正逆回転を制御して投入口蓋部３０の回動動作をコントロールすることができる。
【００５２】
投入口蓋部３０は、図３において反時計回り方向に回動すると、図４（ａ）に示すように投入用筒体１１の第一投入口１２が開放される。投入口蓋部３０は、ほぼ１８０°回動して半月板４６ａであるストッパ部材４６が突き当て部材（図示なし）に突き当たって所定位置で停止する。
【００５３】
作業者は、例えば運搬用トラックに備えた多段式クレーンを用いて、運搬用トラックの荷台に連通する投入用ホースをサイロ本体５１の上方へ延ばし、投入用ホースの先端を投入用筒体１１の第一投入口１２から筒部５３のサイロ投入口５３ａへ挿入する。次いで、荷台の飼料は、一例として運搬用トラックに備えられているスパイラルスクリュー式コンベアによって投入用ホースを介して搬送してサイロ本体５１の内部へ投入される。この飼料の投入作業が終了すると、投入用ホースは多段式クレーンによって運搬用トラックに収納される。
【００５４】
投入口蓋部３０は、図４（ａ）において時計回り方向に回動すると、図４（ａ）の二点鎖線および図３に示すように投入用筒体１１の第一投入口１２に当接して閉鎖し、回動が停止する。この時、前述したようにサイロ本体５１のサイロ投入口５３ａは投入口蓋部３０で、ほぼ閉鎖状態となる。以上のように、作業者は、地上でスイッチボックスの各種スイッチを操作して簡単に投入口蓋部３０で第一投入口１２並びにサイロ投入口５３ａを被蓋することができる。
その後、運搬用トラック側の電源コードをコンセントボックスから外して運搬用トラックへ収納する。
【００５５】
なお、サイロ本体５１の内部を定常的に換気する場合は、投入口蓋部３０を図４（ｂ）において反時計回り方向に回動し、投入口蓋部３０の外周のフランジ部３０ａが投入用筒体１１の第一投入口１２の位置から上方へ外れない位置で停止する。
これにより、フランジ部３０ａの高さは、例えば数センチほど確保されるので、第一投入口１２と投入口蓋部３０との間に通気用の間隔Ｓを形成することができ、これによって常時、サイロ本体５１の内部を換気することができる。しかも、投入用筒体１１の第一投入口１２が投入口蓋部３０のフランジ部３０ａから外方へ露出しないので、通気を確保しつつ雨水の浸入を防ぐことができる。
【００５６】
サイロ本体５１の内部を定常的に換気する場合の他の実施形態としては、図５に示すように、投入口蓋部３０は、サイロ本体５１の内部と通気可能な中空のパイプ３４を外部へ突出して備えることができる。これにより、常時、サイロ本体５１の内部を換気することができる。さらに、パイプ３４は先端側の通気口を少なくとも横方向より下方に向くように湾曲形成することが望ましい。これにより、通気を確保しつつ雨水の浸入を防ぐことができる。
なお、パイプ３４は少なくとも２本を設けることで、いずれかのパイプ３４から吸気される場合は、他のいずれかのパイプ３４から排気されることになる。
【００５７】
以上のことから、作業者は、地上から遠隔操作で駆動部４０によって投入口蓋部３０を回動駆動し、投入口蓋部３０で第一投入口１２を開閉自在とすることができる。また、投入口蓋部３０は駆動部４０によって回動動作を任意位置で停止することができる。したがって、投入口蓋部３０は第一投入口１２を閉鎖することも、第一投入口１２との間を任意の間隔で開けることもできる。第一投入口１２を閉鎖すれば雨水の浸入を防止でき、第一投入口１２との間を開ければ、サイロ本体５１の内部を換気することができる。
その結果、作業者は、はしご５７などを用いてサイロの頂上のサイロ投入口５３ａまで昇る必要がないので、危険な高所作業を回避することができる。
【産業上の利用可能性】
【００５８】
本考案は、農業、酪農業、化学工業、タンク製造および販売業などの広範囲の分野において、利用可能性を有する。
【符号の説明】
【００５９】
１  サイロ用投入口の蓋構造
１０  基部                          １１  投入用筒体
１２  第一投入口                    １３  フック部
２０  固定具                        ２１  ワイヤ
２２  留め具                        ２３  締め付け具
２３ａ  ターンバックル
３０  投入口蓋部                    ３０ａ  フランジ部
３０ｂ  アーム部                    ３１  支持部材
３２  軸受部                        ３３  回転軸
３４  パイプ
４０  駆動部                        ４１  電動モータ
４２  減速機（ギヤボックス）        ４３  コントロールボックス
４４  蓋部回動停止装置              ４５  ストッパ装置
４６  ストッパ部材                  ４６ａ  半月板
５０  既存のサイロ                  ５１  サイロ本体
５２  サイロ上部                    ５２ａ  上面
５３  筒部                          ５３ａ  サイロ投入口
５４  サイロ下部                    ５４ａ  排出口
５５  支柱                          ５５ａ  ワイヤ
５６  帯状体                        ５６ａ  固定具
５７  はしご
Ｓ  間隔
【図１】
0003233815.tif 000003
【図２】
0003233815.tif 000004
【図３】
0003233815.tif 000005
【図４】
0003233815.tif 000006
【図５】
0003233815.tif 000007
【図６】
0003233815.tif 000008